(57)【要約】  【課題】  ネットワークによる監視カメラシステムにおいて、大容量のメモリを必要とせず、複雑な制御を行うことなく、直近の任意のタイミングの監視映像のランダムな再生を任意の画質で行うことができる画像符号化装置を提供すること。  【解決手段】  画像入力デバイス４１から入力した画像をエンコード部６０ａで画像圧縮すると同時に、蓄積用ＤＣＴ部５２と蓄積用量子化部５３によりフレーム内圧縮符号化を行い、画像情報を符号蓄積部５４に一時的蓄積することにより、大容量のメモリを必要とせず、直近の画像を蓄積することができ、再生制御器４３により、複雑な制御を行うことなく、直近の任意タイミングの監視映像をランダムに任意の画質で再生することができる。【選択図】  図１
2006050490.tif 000002
【特許請求の範囲】
【請求項１】
動画像を構成する画像情報を入力する画像入力手段と、
前記画像入力手段に入力された画像情報をフレーム内圧縮符号化およびフレーム間圧縮符号化する第１の画像符号化手段と、
前記画像情報をフレーム内圧縮符号化する第２の画像符号化手段と、
前記第２の画像符号化手段に符号化された圧縮画像情報を蓄積する符号蓄積手段と、
前記第１の画像符号化手段に符号化された圧縮画像情報と前記符号蓄積手段に蓄積された圧縮画像情報とから出力する圧縮画像情報を切り替える出力情報切り替え手段とを備えたことを特徴とする画像符号化装置。
【請求項２】
請求項１に記載の画像符号化装置において、
前記第１の画像符号化手段は、前記符号蓄積手段に蓄積された圧縮画像情報を復号して、再圧縮符号化することを特徴とする画像符号化装置。
【請求項３】
請求項２に記載の画像符号化装置において、
前記画像入力手段に入力された画像情報と、前記第１の画像符号化手段に復号された画像情報とを合成する画像合成手段を備え、
前記第１の画像符号化手段は、前記画像合成手段に合成された画像情報を圧縮符号化することを特徴とする画像符号化装置。
【発明の詳細な説明】
【技術分野】
【０００１】
本発明は、動画像情報を符号化する画像符号化装置に関し、特に、ネットワークを用いた監視カメラシステムにおける画像符号化装置に関するものである。
【背景技術】
【０００２】
ネットワークを用いた監視カメラシステムにおいて、画像情報は非常に情報量が多いので、大量の画像情報をリアルタイムに伝送することは、非常に困難である。そのため、画像情報を圧縮して送信し、受信側で伸張するという技術が用いられている。
【０００３】
動画像圧縮方式のひとつであるＭＰＥＧ（Moving Picture ExpertsCoding Group）方式では、ＤＣＴ（Discrete Cosine Transform：離散余弦変換）を用いて画像の空間的冗長性を除去し自身のデータだけで１枚の画像が構成されるフレーム内圧縮符号化（Ｉフレーム）と、前画像に対する動きや差分を求めて時間的冗長性を除去し前画像を参照して１枚の画像を構成するフレーム間圧縮符号化（Ｐフレーム）の各技術を用いて画像データの圧縮を行う。ここで、通常はフレーム内圧縮符号化（Ｉフレーム）よりもフレーム間圧縮符号化（Ｐフレーム）の方が圧縮率が高くなる。
【０００４】
そこで、伝送するストリームは、できるだけビット数を抑えるため、フレーム内圧縮符号化したＩフレーム画像の後に、数フレーム分のフレーム間圧縮符号したＰフレーム画像を続けるが、フレーム間圧縮符号化を続けると画質劣化が進むので、定期的にフレーム内圧縮符号したＩフレーム画像を挿入するのが一般的である。例えば、ＩＰＰＰＰＰＩＰＰＰＰＰＩＰ・・・のようなフレーム構成となる。
【０００５】
ところで、監視カメラシステムにおいては、監視映像に何か不審なものを発見し、もう一度確認するために直近の任意タイミングの監視映像をランダムに見たいという要望がある。この場合、ＭＰＥＧ動画像圧縮では、フレーム間圧縮符号化を用いているので過去の任意のタイミングの画像を再生するためには、再生対象画像の時間的に直前の画像を保持する必要がある。そして、その直前の画像を再生するためには、さらにひとつ前の画像も保持する必要があり、フレーム画像を格納するために大容量のメモリが必要となるという問題があった。また、別の方法として、もっとも近いＩフレーム画像のみ保持して、そのＩフレームから再生対象画像まで、再デコードし直すことにより、目的の画像を再生することもできるが、多くの処理時間を必要とし、リアルタイムに再生することはできないという問題がある。
【０００６】
このような問題に対して、大容量のメモリを必要とせずに、多くの画像情報を保存するものとして、図５に示す動画像信号復号装置が提供されている（例えば、特許文献１参照）。
【０００７】
このものは、図５に示すように、デコード画像をダウンサンプリング回路５で１／Ｍの画素数にダウンサンプリングしてメモリ回路９に保存するので、従来のＭ倍のフレーム画像を保持することができ、画像を記憶するための大容量のメモリは必要としない。また、再生対象画像の再生は、保持したフレームメモリから再生するだけである。
【０００８】
また、他のものとして、予め定めた枚数のフレーム画像をコアピクチャメモリに保持させ、再生対象画像の再生は、もっとも近いＩフレームに戻るのではなく、もっとも近いコアピクチャから対象画像まで再デコードすることにより、大容量のメモリを使用せず、処理時間も長く必要とはしない動画像データ再生装置も考えられている。
【特許文献１】特開平９−５５９４６号公報（要約、第１図）
【発明の開示】
【発明が解決しようとする課題】
【０００９】
しかしながら、このような従来の動画像信号復号装置においては、デコード画像を１／Ｍの画素数にダウンサンプリングするので、画像サイズが小さくなるという問題があった。
【００１０】
また、予め定めた枚数のフレーム画像をコアピクチャメモリに保持させる方式においては、最も近いコアピクチャから目的画像まで再デコードさせるための制御が複雑になり、回路規模を増大させるという問題があった。
【００１１】
さらに、監視カメラシステムにおいて、直近の任意のタイミングの監視映像をランダムに再生したい要望は、監視映像に何か不審なものを発見し、もう一度確認するためであり、通常の再生よりも高画質な画像で再生することが望ましいが、その実現ができないという問題があった。
【００１２】
本発明は、従来の問題を解決するためになされたもので、大容量のメモリを必要とせず、複雑な制御を行うことなく、直近の任意のタイミングの監視映像をランダムに任意の画質で再生することのできる画像符号化装置を提供することを目的とする。
【課題を解決するための手段】
【００１３】
本発明の画像符号化装置は、動画像を構成する画像情報を入力する画像入力手段と、前記画像入力手段に入力された画像情報をフレーム内圧縮符号化およびフレーム間圧縮符号化する第１の画像符号化手段と、前記画像情報をフレーム内圧縮符号化する第２の画像符号化手段と、前記第２の画像符号化手段に符号化された圧縮画像情報を蓄積する符号蓄積手段と、前記第１の画像符号化手段に符号化された圧縮画像情報と前記符号蓄積手段に蓄積された圧縮画像情報とから出力する圧縮画像情報を切り替える出力情報切り替え手段とを備えたことを特徴とした構成を有している。
【００１４】
この構成により、フレーム内のみの情報で圧縮符号化した圧縮画像情報を蓄積しているので、１枚分の画像情報だけで画像を復号することができ、大容量のメモリを必要とせずに、高画質でどの画面からでも目的のタイミングで画像再生を行うことができる。
【００１５】
また、本発明の画像符号化装置は、前記第１の画像符号化手段は、前記符号蓄積手段に蓄積された圧縮画像情報を復号して、再圧縮符号化することを特徴とした構成を有している。
【００１６】
この構成により、蓄積している圧縮画像情報を復号して、再符号化するので、再符号化時の圧縮率を変更でき、任意の画質で再生することができる。
【００１７】
さらに、本発明の画像符号化装置は、前記画像入力手段で入力された画像情報と、前記第１の画像符号化手段に復号された画像情報とを合成する画像合成手段を備え、前記第１の画像符号化手段は、前記画像合成手段に合成された画像情報を圧縮符号化することを特徴とした構成を有している。
【００１８】
この構成により、入力された画像情報と蓄積された画像情報とを合成して出力するので、現在のリアルタイムな監視映像と過去の指定時の監視映像とを同時に再生することができ、現在の監視を行いながら過去の映像の確認を行うことができる。
【発明の効果】
【００１９】
本発明は、画像情報をフレーム内圧縮符号化する第２の画像符号化手段と、前記フレーム内圧縮画像情報を蓄積する符号蓄積手段とを設けることにより、１枚分の画像情報だけで画像を復号することができ、大容量のメモリを必要とせずに、高画質でどの画面からでも目的のタイミングで画像再生を行うことができるという効果を有する画像符号化装置を提供することができるものである。
【発明を実施するための最良の形態】
【００２０】
以下、本発明の実施の形態の画像符号化装置について、図面を用いて説明する。
【００２１】
（第１の実施の形態）
まず、本発明の第１の実施の形態における画像符号化装置のブロック図を図１に示し、説明する。
【００２２】
図１に示すように、画像符号化装置５０ａは、カメラ等の画像入力デバイス４１から画像を入力し、入力した画像を圧縮符号化してストリーム出力器４２に出力するものであり、また、再生制御器４３により指定された画像のビットストリームを出力するものである。
【００２３】
ここで、ストリーム出力器４２は、画像符号化装置５０ａから符号化されたビットストリームを取り出し、出力するものであり、ネットワークを用いた監視システムではビットストリームを監視端末に送信する回路である。再生制御器４３は、画像符号化装置５０ａに対して再生させる画像を指定する回路である。
【００２４】
さらに、画像符号化装置５０ａは、可変長符号化を行うＶＬＣ変換部５１と、離散余弦変換を行う蓄積用ＤＣＴ部５２と、量子化を行う蓄積用量子化部５３と、画像情報を保持する符号蓄積部５４と、画像圧縮を行うエンコード部６０ａと、エンコード部６０ａの出力と符号蓄積部５４の出力のいずれか一方を選択的に切り替える第３切り替えスイッチ８３とを備えている。
【００２５】
また、ＶＬＣ変換部５１は、エンコードされた符号を可変長符号化して定められた形式のビットストリームに変換する回路である。蓄積用ＤＣＴ部５２は、現フレームの画像をフレーム内圧縮を行うために離散余弦変換する回路であり、蓄積用量子化部５３は、蓄積用ＤＣＴ部５２に変換された係数値を量子化する回路である。
【００２６】
符号蓄積部５４は、フレーム内符号化された情報を一時蓄積するメモリであり、直近の画像を圧縮した画像情報を保持するものである。エンコード部６０ａは、画像入力デバイス４１より入力した画像を画像圧縮する一般的なＭＰＥＧ符号化装置である。
【００２７】
次に、エンコード部６０ａの構成について説明する。エンコード部６０ａの構成については、画像入力デバイス４１より入力した画像をマクロブロックと呼ばれる単位ごとに画像圧縮する一般的なＭＰＥＧ符号化装置であり、各要素は公知の要素であるので簡単に説明する。
【００２８】
現フレーム記録部６１は、現在のフレーム画像を格納するフレームメモリである。前フレーム現フレーム記録部６２は、エンコード部６０ａの内部で生成したローカルデコード画像を保持するフレームメモリであり、時間的にひとつ前のフレーム画像とエンコード部６０ａの内部で生成する現フレーム画像の２つを保持するフレームメモリである。動き検出部６３は、現在のフレーム画像と前フレーム画像を比較して動きベクトルを求める回路である。動き補償部６４は、動きベクトルを参照して前フレームの画像を切り出す回路である。
【００２９】
減算部６５は、現フレーム画像と動き補償で求めた画像の画素ごとの減算を行い予測誤差を求める回路である。ＤＣＴ部６６は、離散余弦変換を行う回路である。量子化部６７は、ＤＣＴ部６６に変換された係数値を量子化する回路である。
【００３０】
逆量子化部６８は、量子化処理の逆処理を行う回路であり、量子化された係数を量子化係数で乗算するものである。逆ＤＣＴ部６９は、ＤＣＴ処理の逆変換処理を行う回路であり、空間周波数順の係数値の並びから自然画の画素値の並びに変換するものである。加算部７０は、動き補償部６４で求めた画像と逆ＤＣＴ部６９の結果を画素ごとに加算して画像を生成する回路である。
【００３１】
第１切り替えスイッチ８１と第２切り替えスイッチ８２は、フレーム内圧縮符号化とフレーム間圧縮符号化を選択的に切り替える回路であり、フレーム内圧縮符号化の場合は、双方のスイッチをＩ側に切り替えることにより、現フレームの画像をＤＣＴ→量子化→逆量子化→逆ＤＣＴし、前フレーム現フレーム記録部６２に格納する。フレーム間圧縮符号化の場合は、双方のスイッチをＰ側に切り替えることにより、前フレームとの差分である予測誤差をＤＣＴ→量子化→逆量子化→逆ＤＣＴし、動き補償結果と加算した画像を前フレーム現フレーム記録部６２に格納する。
【００３２】
以上のように構成された画像符号化装置５０ａの動作について、以下に説明する。
【００３３】
まず、通常の画像符号化の動作について説明する。通常の画像符号化処理では、第３切り替えスイッチ８３をＮ側に切り替える。画像入力デバイス４１から入力した画像は、現フレーム記録部６１に格納され、現フレーム記録部６１に格納された画像は、エンコード部６０で画像圧縮され、ＶＬＣ変換部５１で可変長符号化してビットストリームに変換し、ストリーム出力器４２に出力する。ストリーム出力器４２では、入力したビットストリームを監視端末に送信する。この動作と同時に、現フレーム記録部６１から出力された画像は、蓄積用ＤＣＴ部５２と蓄積用量子化部５３により、フレーム内圧縮符号化して符号蓄積部５４に一時蓄積する。この時、蓄積用量子化部５３における量子化処理時の量子化係数を小さくして高画質で記録することが望ましい。また、符号蓄積部５４では、蓄積用ＤＣＴ部５２、蓄積用量子化部５３により、フレーム内圧縮符号化された画像を順次入力し、複数の符号化画像情報を蓄積しておく。
【００３４】
次に、直近の任意のタイミングの監視映像のランダムな再生の動作について説明する。監視映像の再生処理においては、第３切り替えスイッチ８３をＶ側に切り替える。再生制御器４３は、監視端末から再生要求を受けて符号蓄積部５４から該当する画像情報を取り出し、ＶＬＣ変換部５１で可変長符号化されたビットストリームに変換し、ストリーム出力器４２でビットストリームを監視端末に送信することにより、指定した直近の任意のタイミングの監視映像のランダムな再生を行う。符号蓄積部５４に記録した画像情報は、フレーム内圧縮符号化した画像なので直前の画像を参照することなく表示できるので、直近の任意のタイミングの監視映像をランダムに選択して表示させることができる。
【００３５】
また、符号蓄積部５４の実現例の一例を図２に示し、説明する。
【００３６】
図２に示すように、横一行がひとつのフレームを表す画像情報であり、リング状のキューで構成しており、時刻ｔ−１の画像情報の次に、時刻ｔの画像情報を記録し、直近のＮフレーム分の画像情報を一時蓄積する。したがって、時刻ｔ＋Ｎの画像情報が入ってくると、時刻ｔのフレームの画像情報に上書きされることとなる。
【００３７】
ひとつのフレームは、Ｌ個のマクロブロックから構成されている。ひとつのマクロブロックは、量子化係数と６つのブロック（輝度ブロックＹ１〜Ｙ４、色差ブロックＣｂ、色差ブロックＣｒ）から構成される。各々のブロックは、ひとつのＤＣ成分と６３個のＡＣ成分から構成される。
【００３８】
本実現例は、ひとつの例であって、使用可能なメモリ量と一時蓄積する直近のフレーム画像枚数により決定し、別のデータ構造にしたり、ビットストリームに近い形式で可変長で記録してもよい。
【００３９】
このように、本発明の第１の実施の形態の画像符号化装置５０ａによれば、蓄積用ＤＣＴ部５２と蓄積用量子化部５３と符号蓄積部５４を設けることにより、直近の画像をフレーム画像としてではなく、フレーム内圧縮した画像情報として一時蓄積するので、大容量のメモリを必要とせず、直近の任意のタイミングの画像をランダムに再生することができる画像符号化装置を提供することができる。
【００４０】
（第２の実施の形態）
次に、本発明の第２の実施の形態における画像符号化装置のブロック図を図３に示し、説明する。
【００４１】
図３に示すように、画像符号化装置５０ｂは、第１の実施の形態と同様に、画像入力デバイス４１から画像を入力し、入力した画像を圧縮符号化してストリーム出力器４２に出力するものであり、また、再生制御器４３により指定された画像のビットストリームを出力するものである。
【００４２】
また、画像符号化装置５０ｂは、可変長符号化を行うＶＬＣ変換部５１と、離散余弦変換を行う蓄積用ＤＣＴ部５２と、量子化を行う蓄積用量子化部５３と、画像情報を保持する符号蓄積部５４と、画像圧縮を行うエンコード部６０ｂと、エンコード部６０ｂの出力と符号蓄積部５４の出力のいずれか一方を選択的に切り替える第３切り替えスイッチ８３に加え、符号蓄積部５４の画像情報を、エンコード部６０ｂに出力させるか、ＶＬＣ変換部５１に出力させるかのいずれか一方に選択的に切り替える第４切り替えスイッチ８４と、エンコード部６０ｂに入力させる画像情報を、画像入力デバイス４１から入力した画像情報か、エンコード部６０ｂで一旦エンコードされた画像情報かを選択的に切り替える第７切り替えスイッチ８７と、エンコード部６０ｂに取り込まれた画像情報を蓄積用ＤＣＴ部５２に入力させるか否かを選択的に切り替える第８切り替えスイッチ８８とを備えている。
【００４３】
さらに、エンコード部６０ｂは、現在のフレーム画像を格納するフレームメモリである現フレーム記録部６１と、エンコード部６０ｂの内部で生成したローカルデコード画像を保持するフレームメモリである前フレーム現フレーム記録部６２と、現在のフレーム画像と前フレーム画像を比較して動きベクトルを求める回路である動き検出部６３と、動きベクトルを参照して前フレームの画像を切り出す回路である動き補償部６４と、現フレーム画像と動き補償で求めた画像の画素ごとの減算を行い予測誤差を求める回路である減算部６５と、離散余弦変換を行う回路であるＤＣＴ部６６と、ＤＣＴ部６６に変換された係数値を量子化する回路である量子化部６７と、量子化処理の逆処理を行う回路であり、量子化された係数を量子化係数で乗算する逆量子化部６８と、ＤＣＴ処理の逆変換処理を行う回路であり、空間周波数順の係数値の並びから自然画の画素値の並びに変換する逆ＤＣＴ部６９と、動き補償部６４で求めた画像と逆ＤＣＴ部６９の結果を画素ごとに加算して画像を生成する回路である加算部７０と、フレーム内圧縮符号化とフレーム間圧縮符号化を選択的に切り替える第１切り替えスイッチ８１と、第２切り替えスイッチ８２に加え、符号蓄積部５４から入力される画像情報と、量子化部６７から出力される画像情報とから逆量子化部６８に入力する画像情報を、いずれか一方に選択的に切り替える第５切り替えスイッチ８５と、逆ＤＣＴ部６９から出力された画像情報を、エンコード部６０ｂの内部に記憶するか、エンコード部６０ｂの入力とするかを選択的に切り替える第６切り替えスイッチ８６とを備えている。
【００４４】
以上のように構成された画像符号化装置５０ｂの動作について、以下に説明する。
【００４５】
まず、通常の画像符号化の動作について説明する。通常の画像符号化処理では、第３切り替えスイッチ８３をＮ側に切り替え、第４切り替えスイッチ８４をＶ側に切り替え、第５切り替えスイッチ８５をＦ側に切り替え、第６切り替えスイッチ８６をＦ側に切り替え、第７切り替えスイッチ８７をＦ側に切り替え、第８切り替えスイッチ８８をＦ側に切り替える。この時の各要素の接続状態は、上記第１の実施の形態と等価であり、同一動作であるので説明は省略する。
【００４６】
次に、直近の任意のタイミングの監視映像のランダムな再生の動作について説明する。監視映像の再生処理では、第３切り替えスイッチ８３はＮ側から変化なく、第４切り替えスイッチ８４をＲ側に切り替え、第５切り替えスイッチ８５をＲ側に切り替え、第６切り替えスイッチ８６をＲ側に切り替え、第７切り替えスイッチ８７をＲ側に切り替え、第８切り替えスイッチ８８をＲ側に切り替える。
【００４７】
再生制御器４３は、監視端末から再生要求を受けて符号蓄積部５４から該当する画像情報を取り出し、逆量子化部６８に入力し逆量子化し、逆ＤＣＴ部６９で逆ＤＣＴ化することにより、符号蓄積部５４に一時蓄積した画像情報から画像を生成して、現フレーム記録部６１に出力する。現フレーム記録部６１に取り込まれた画像は、エンコード部６０ｂで画像圧縮され、ＶＬＣ変換部５１で可変長符号化されたビットストリームに変換し、ストリーム出力器４２でビットストリームを監視端末に送信することにより、指定した直近の任意のタイミングの監視映像のランダムな再生が行われる。
【００４８】
ここで、エンコード部６０ｂ中の量子化部６７の量子化係数を制御することにより、画質を抑えてでも全体の動きを見通すためにビットストリームの情報量を抑止するなど、画質を任意に変更して再生することができる。
【００４９】
このように、本発明の第２の実施の形態の画像符号化装置５０ｂによれば、第４切り替えスイッチ８４と第５切り替えスイッチ８５と第６切り替えスイッチ８６と第７切り替えスイッチ８７と第８切り替えスイッチ８８を設けることにより、直近の任意のタイミングの監視画像のランダムな再生ができ、また画質を任意に制御可能な画像符号化装置を提供することができる。
【００５０】
（第３の実施の形態）
次に、本発明の第３の実施の形態における画像符号化装置のブロック図を図４に示し、説明する。
【００５１】
図４に示すように、画像符号化装置５０ｃは、第１および第２の実施の形態と同様に、画像入力デバイス４１から画像を入力し、入力した画像を圧縮符号化してストリーム出力器４２に出力するものであり、また、再生制御器４３により指定された画像のビットストリームを出力するものである。
【００５２】
また、画像符号化装置５０ｃは、可変長符号化を行うＶＬＣ変換部５１と、離散余弦変換を行う蓄積用ＤＣＴ部５２と、量子化を行う蓄積用量子化部５３と、画像情報を保持する符号蓄積部５４と、画像圧縮を行うエンコード部６０ｃと、エンコード部６０ｃの出力と符号蓄積部５４の出力のいずれか一方を選択的に切り替える第３切り替えスイッチ８３と、符号蓄積部５４の画像情報を、エンコード部６０ｃに出力させるか、ＶＬＣ変換部５１に出力させるかのいずれか一方に選択的に切り替える第４切り替えスイッチ８４と、エンコード部６０ｃに取り込まれた画像情報を蓄積用ＤＣＴ部５２に入力させるか否かを選択的に切り替える第８切り替えスイッチ８８とに加え、画像入力デバイス４１から入力した入力画像と符号蓄積部５４に一時蓄積した画像情報からエンコード部６０ｃのローカルデコードにより生成した画像を合成する画像合成部５５と、エンコード部６０ｃに入力させる画像情報を、画像入力デバイス４１から入力した画像情報か、画像合成部５５に合成された画像情報かを選択的に切り替える第９切り替えスイッチ８７とを備えている。
【００５３】
さらに、エンコード部６０ｃは、現在のフレーム画像を格納するフレームメモリである現フレーム記録部６１と、エンコード部６０ｃの内部で生成したローカルデコード画像を保持するフレームメモリである前フレーム現フレーム記録部６２と、現在のフレーム画像と前フレーム画像を比較して動きベクトルを求める回路である動き検出部６３と、動きベクトルを参照して前フレームの画像を切り出す回路である動き補償部６４と、現フレーム画像と動き補償で求めた画像の画素ごとの減算を行い予測誤差を求める回路である減算部６５と、離散余弦変換を行う回路であるＤＣＴ部６６と、ＤＣＴ部６６に変換された係数値を量子化する回路である量子化部６７と、量子化処理の逆処理を行う回路であり、量子化された係数を量子化係数で乗算する逆量子化部６８と、ＤＣＴ処理の逆変換処理を行う回路であり、空間周波数順の係数値の並びから自然画の画素値の並びに変換する逆ＤＣＴ部６９と、動き補償部６４で求めた画像と逆ＤＣＴ部６９の結果を画素ごとに加算して画像を生成する回路である加算部７０と、フレーム内圧縮符号化とフレーム間圧縮符号化を選択的に切り替える第１切り替えスイッチ８１と、第２切り替えスイッチ８２と、符号蓄積部５４から入力される画像情報と、量子化部６７から出力される画像情報とから逆量子化部６８に入力する画像情報を、いずれか一方に選択的に切り替える第５切り替えスイッチ８５と、逆ＤＣＴ部６９から出力された画像情報を、エンコード部６０ｃの内部に記憶するか、画像合成部５５に出力するかを選択的に切り替える第６切り替えスイッチ８６とを備えている。
【００５４】
以上のように構成された画像符号化装置５０ｃの動作について、以下に説明する。
【００５５】
まず、通常の画像符号化の動作について説明する。通常の画像符号化処理では、第３切り替えスイッチ８３をＮ側に切り替え、第４切り替えスイッチ８４をＶ側に切り替え、第５切り替えスイッチ８５をＦ側に切り替え、第６切り替えスイッチ８６をＦ側に切り替え、第８切り替えスイッチ８８をＦ側に切り替え、第９切り替えスイッチ８９をＦ側に切り替える。この時の各要素の接続状態は、上記第１の実施の形態と等価であり、同一動作であるので説明は省略する。
【００５６】
次に、直近の任意のタイミングの監視映像のランダムな再生の動作について説明する。監視映像の再生処理では、第３切り替えスイッチ８３はＮ側から変化なく、第４切り替えスイッチ８４をＲ側に切り替え、第５切り替えスイッチ８５をＲ側に切り替え、第６切り替えスイッチ８６をＲ側に切り替え、第８切り替えスイッチ８８をＲ側に切り替え、第９切り替えスイッチ８９をＲ側に切り替える。
【００５７】
再生制御器４３は、監視端末から再生要求を受けて符号蓄積部５４から該当する画像情報を取り出し、逆量子化部６８に入力し逆量子化し、逆ＤＣＴ部６９で逆ＤＣＴ化することにより、符号蓄積部５４に一時蓄積した画像情報から画像を生成し、画像合成部５５により画像入力デバイス４１から入力した入力画像と合成して、現フレーム記録部６１に出力する。現フレーム記録部６１に取り込まれた画像は、エンコード部６０ｃで画像圧縮され、ＶＬＣ変換部５１で可変長符号化されたビットストリームに変換し、ストリーム出力器４２でビットストリームを監視端末に送信することにより、指定した直近の任意のタイミングの監視映像と現在のリアルタイム監視画像が合成された映像が再生される。
【００５８】
このように、本発明の第３の実施の形態の画像符号化装置５０ｃによれば、画像合成部５５と第９切り替えスイッチ８９を設けることにより、現在のリアルタイム監視画像を見ながら直近の任意のタイミングの画像をランダムに再生することができる画像符号化装置を提供することができる。
【産業上の利用可能性】
【００５９】
以上のように、本発明にかかる画像符号化装置は、大容量のメモリを必要とせずに、高画質でどの画面からでも目的のタイミングで画像再生を行うことができるという効果を有し、ネットワークを用いた監視カメラシステムにおける画像符号化装置等として有用である。
【図面の簡単な説明】
【００６０】
【図１】本発明の第１の実施の形態における画像符号化装置のブロック図
【図２】本発明の第１の実施の形態における画像符号化装置の符号蓄積実現例
【図３】本発明の第２の実施の形態における画像符号化装置のブロック図
【図４】本発明の第３の実施の形態における画像符号化装置のブロック図
【図５】従来の画像情報を保存する動画像信号復号装置のブロック図
【符号の説明】
【００６１】
１  デマルチプレクス回路
２  可変長復号回路
３  逆量子化回路
４  ＩＤＣＴ回路
５  ダウンサンプリング回路
６  加算回路
７  スケーリング回路
８  再構成用アドレス発生回路
９  メモリ回路
１０  制御回路
１１  アドレス発生回路（Ａ）
１２  アドレス発生回路（Ｂ）
１３  アドレス発生回路（Ｃ）
１４  演算回路
４１  画像入力デバイス
４２  ストリーム出力器
４３  再生制御器
５０ａ、５０ｂ、５０ｃ  画像符号化装置
５１  ＶＬＣ変換部
５２  蓄積用ＤＣＴ部
５３  蓄積用量子化部
５４  符号蓄積部
５５  画像合成部
６０ａ、６０ｂ、６０ｃ  エンコード部
６１  現フレーム記録部
６２  前フレーム現フレーム記録部
６３  動き検出部
６４  動き補償部
６５  減算部
６６  ＤＣＴ部
６７  量子化部
６８  逆量子化部
６９  逆ＤＣＴ部
７０  加算部
８１  第１切り替えスイッチ
８２  第２切り替えスイッチ
８３  第３切り替えスイッチ
８４  第４切り替えスイッチ
８５  第５切り替えスイッチ
８６  第６切り替えスイッチ
８７  第７切り替えスイッチ
８８  第８切り替えスイッチ
８９  第９切り替えスイッチ
【図１】
2006050490.tif 000003
【図２】
2006050490.tif 000004
【図３】
2006050490.tif 000005
【図４】
2006050490.tif 000006
【図５】
2006050490.tif 000007